(57)【特許請求の範囲】
【請求項１】
外周部に設けられた第１の嵌合部及び該第１の嵌合部の内側に設けられ、保護シートを貼付する携帯端末を定位置に収容可能な収容部を有する基枠部と、
前記第１の嵌合部に対して嵌合による固定と分離が可能な第２の嵌合部、該第２の嵌合部の開口部と反対側に設けられた天面部材、該天面部材の下方の収容空間に位置するよう内天部に沿わせて粘着面と反対側の面を該内天部に対し取り外し可能に固定された保護シート、前記天面部材に設けられ、外部からの前記保護シートに対する直接的な押さえ操作を可能にする貫通穴、前記保護シートの前記粘着面に粘着されている柔軟性を有する剥離フィルム、該剥離フィルムの剥離始点部の近傍に繋がるように設けてある引き手及び前記剥離フィルムの剥離操作時に前記引き手を通して案内可能な引き手案内部とを有する蓋枠部とを備える
携帯端末用保護シート貼付具。
【請求項２】
前記基枠部の前記収容部の前記携帯端末を支持する支持面が、前記蓋枠部が前記基枠部に被冠し前記第１の嵌合部と前記第２の嵌合部が嵌合したときに、前記保護シートに対して前記引き手案内部へ向け間隔が狭まるように所定の角度で傾斜している
請求項１記載の携帯端末用保護シート貼付具。
【請求項３】
前記基枠部と、前記蓋枠部のうち前記保護シートと前記剥離フィルム及び前記引き手を除く部分とが、透明なプラスチックシートでブリスター様に形成されている
請求項１又は２記載の携帯端末用保護シート貼付具。
【請求項４】
前記貫通穴が前記引き手案内部近傍に設けられ、かつ前記天面部材に対する前記保護シートの固定位置が、前記剥離フィルムの剥離始点部の近傍に設けられている
請求項１、２又は３記載の携帯端末用保護シート貼付具。
【請求項５】
基枠部に設けられた収容部の定位置に、携帯端末を表示画面が表れるようにして収容する工程と、
前記基枠部に蓋枠部を嵌合して被冠し、該蓋枠部に設けてある天面部材の下方の収容空間に位置するよう内天部に沿わせて該内天部に対し取り外し可能に固定され、前記携帯端末に対向する面に剥離フィルムが粘着され、該剥離フィルムの剥離始点部に引き手が繋いである保護シートの前記携帯端末の前記表示画面に対する位置決めをすると共に、前記天面部材と前記表示画面との間に形成される空間を略密封する工程と、
前記引き手を前記蓋枠部に設けてある引き手案内部を通して外方向へ引いて、前記保護シートから前記剥離フィルムを剥離する工程と、
前記保護シートの所定箇所を外部から直接又は間接的に押さえて、前記剥離フィルムを剥離した粘着面を前記携帯端末の前記表示画面に粘着する工程と、
前記基枠部から前記蓋枠部の残部を分離する工程とを備える
携帯端末用保護シートの貼付方法。
【発明の詳細な説明】
【技術分野】
【０００１】
本発明は、携帯端末用保護シート貼付具及び保護シートの貼付方法に関するものである。詳しくは、携帯端末の表示画面に保護シートを貼付する作業を行う際に、保護シートの粘着面に異物が付着することを、より完全に近い状態で排除することにより、保護シートと表示画面の間に異物を挟み込むことを防止できる携帯端末用保護シート貼付具及び保護シートの貼付方法に関する。
【背景技術】
【０００２】
スマートフォン等の携帯端末においては、表示画面はガラス製のものが一般的であり、過って落下させると表示画面が破損してしまうことがある。これを防止するために、透明かつ強靱な材料で形成された保護シートが商品化されており、これを表示画面に貼付している使用者（ユーザー）も多い。
【０００３】
しかしながら、スマートフォンの場合、表示画面は平滑ではあるが、大きさが８インチ前後であり、この大きさの表示画面に対して位置がずれないように、しかも表示画面との間に空気が入ったり異物が入ったりすることがないように保護シートを貼付することは極めて難しい。このため、従来から、この問題を解消するための様々な手段が提案されており、特許文献１に記載された本願出願人が提案した貼付治具兼用包装部材もその一つである。
【０００４】
特許文献１記載の貼付治具兼用包装部材は、表示画面に貼着層を介し貼り付けてある保護フィルムを収納保持するための収納凹部が形成され、収納凹部内に仮貼着部材を介して保護フィルムを貼り付けた構成等を有する収納基板と、収納凹部に一端が連通され他端がトレイの外側に開放される中空の連通枠を備え、低コストで汎用性が高い上に、保護フィルムの表示画面に対する貼付位置の精度が良好であるというものである。
【先行技術文献】
【特許文献】
【０００５】
【特許文献１】特開２０１７−２４７３６号公報
【発明の概要】
【発明が解決しようとする課題】
【０００６】
上記特許文献１記載の貼付治具兼用包装部材は、効果の記載にあるように、低コストで汎用性が高く、保護フィルムの表示画面に対する貼付位置の精度を良好にするという点おいては充分に有用であるが、次のような課題があることも分かってきた。
【０００７】
すなわち、トレイを携帯端末に被せて保護フィルムを表示画面に貼付するときには、剥離シートを保護フィルムからあらかじめ剥離しておく必要がある（特許文献１の図６（ｂ）の記載参照）。このため、剥離シートの剥離から保護フィルムを表示画面に貼付するまでには、通常、僅かではあるが時間を要していた。
【０００８】
しかも、この間、保護フィルムの粘着面は外気に開放された空間に露出するため、外気に浮游する埃等の微細な異物が粘着面に付着するのを完全には排除することができず、携帯端末の表示画面に貼付するときに異物を挟み込んでしまうことがあった。
【０００９】
本発明は、以上の点を鑑みて創案されたものであり、携帯端末の表示画面に保護シートを貼付する作業を行う際に、保護フィルム（以降、保護シートという）の粘着面に異物が付着することを、より完全に近い状態で排除することにより、保護シートと表示画面の間に異物を挟み込むことを防止できる携帯端末用保護シート貼付具及び保護シートの貼付方法を提供することを目的とする。
【課題を解決するための手段】
【００１０】
（１）上記の目的を達成するために本発明に係る携帯端末用保護シート貼付具は、外周部に設けられた第１の嵌合部及び該第１の嵌合部の内側に設けられ、保護シートを貼付する携帯端末を定位置に収容可能な収容部を有する基枠部と、前記第１の嵌合部に対して嵌合による固定と分離が可能な第２の嵌合部、該第２の嵌合部の開口部と反対側に設けられた天面部材、該天面部材の下方の収容空間に位置するよう内天部に沿わせて粘着面と反対側の面を該内天部に対し取り外し可能に固定された保護シート、前記天面部材に、外部からの前記保護シートに対する直接的な押さえ操作を可能にする貫通穴、前記保護シートの前記粘着面に粘着されている柔軟性を有する剥離フィルム、該剥離フィルムの剥離始点部の近傍に繋がるように設けてある引き手及び前記剥離フィルムの剥離操作時に前記引き手を通して案内可能な引き手案内部とを有する蓋枠部とを備える。
【００１１】
携帯端末用保護シート貼付具は、基枠部の外周部に設けられた第１の嵌合部により、蓋枠部の第２の嵌合部に対して嵌合することによる固定と分離が可能である。また、第１の嵌合部の内側に設けられた収容部に保護シートを貼付する携帯端末を定位置に収容することにより、携帯端末を、保護シートを携帯端末の表示画面の正確な位置に貼付することができる箇所に配置することができる。
【００１２】
また、蓋枠部の第２の嵌合部により、基枠部の第１の嵌合部に対して嵌合することによる固定と分離が可能である。第２の嵌合部の開口部と反対側に設けられた天面部材には、保護シートを天面部材の下方の収容空間に位置するよう内天部に沿わせて粘着面と反対側の面を内天部に対し取り外し可能に固定することができる。これにより、保護シートを携帯端末の表示画面に貼付した状態で、保護シートから天面部材を取り外すことが可能になる。
【００１３】
なお、保護シートは、基枠部の収容部に携帯端末を収容して蓋枠部を嵌合したときに、天面板と携帯端末の表示画面との間に形成される、収容空間を含む包持空間の内部に収まり、略密封される。また、保護シートの下方にこの包持空間が形成されることにより、剥離フィルムの折り返しによる保護シートからの剥離操作が可能になる。
【００１４】
また、天面部材に設けられた貫通穴により、外部からの保護シートに対する直接的な押さえ操作が可能になる。保護シートの粘着面に粘着されている柔軟性を有する剥離フィルムは、粘着面から剥離することが可能であり、剥離されるまでは粘着面の携帯端末の表示画面に対する充分な粘着性を維持することができる。
【００１５】
そして、剥離フィルムの剥離始点部の近傍に繋がるように設けてある引き手により、これを所定の方向へ引くことによって、剥離フィルムを保護シートの粘着面から剥離させることができる。引き手は、剥離フィルムの剥離操作時に引き手案内部に通して案内させることで、円滑な操作を行うことができる。
【００１６】
また、蓋枠部には、第２の嵌合部、天面部材、保護シート、貫通穴、剥離フィルム、引き手及び引き手案内部等の各構成部が一体的に設けてあるので、保護シートの貼付作業を行うに当たり、別に用意した部品を取り付けたり組み立てる必要もないので、作業をスムーズに行うことができる。
【００１７】
（２）本発明に係る携帯端末用保護シート貼付具は、前記基枠部の前記収容部の前記携帯端末を支持する支持面が、前記蓋枠部が前記基枠部に被冠し前記第１の嵌合部と前記第２の嵌合部が嵌合したときに、前記保護シートに対して前記引き手案内部へ向け間隔が狭まるように所定の角度で傾斜している構成とすることもできる。
【００１８】
この場合は、基枠部の収容部の携帯端末を支持する支持面が、蓋枠部が基枠部に被冠し第１の嵌合部と第２の嵌合部が嵌合したときに、保護シートに対して引き手案内部へ向け間隔が狭まるように所定の角度で傾斜していることで、収容部に収容した携帯端末の表示画面を保護シートに対して所定の角度で傾斜させることができる。
【００１９】
これにより、剥離始点部に近い側の保護シートと携帯端末の表示画面の間隔がより広い包持空間をつくることができ、特に剥離フィルムの折り返しにより剥離操作を行う場合、空間に余裕があるために剥離操作をより確実に行うことが可能になる。
【００２０】
（３）本発明に係る携帯端末用保護シート貼付具は、前記基枠部と、前記蓋枠部のうち前記保護シートと前記剥離フィルム及び前記引き手を除く部分とが、透明なプラスチックシートでブリスター様に形成されている構成とすることもできる。
【００２１】
この場合は、基枠部と、蓋枠部のうち保護シートと剥離フィルム及び引き手を除く部分とが、透明なプラスチックシートでブリスター様（又はブリスターパック様：プラスチックシートで立体形状につくられた包装容器様）に形成されていることで、全体に変形性及び撓み性に優れ、基枠部及び蓋枠部の嵌合作業及び分離作業も比較的容易に、かつ確実に行うことができる。
【００２２】
（４）本発明に係る携帯端末用保護シート貼付具は、前記貫通穴が前記引き手案内部近傍に設けられ、かつ前記天面部材に対する前記保護シートの固定位置が、前記剥離フィルムの剥離始点部の近傍に設けられている構成とすることもできる。
【００２３】
この場合は、貫通穴が引き手案内部近傍に設けられ、かつ天面部材に対する保護シートの固定位置が、剥離フィルムの剥離始点部の近傍に設けられていることで、保護シートの固定位置と貫通穴の間隔が比較的広くとられている。
【００２４】
これにより、保護シートを貫通穴の位置で携帯端末の表示画面に押し付けて粘着を始めて、天面部材に対する保護シートが固定されている状態での粘着が終わったときの粘着面積が広くなるので固定力が充分に強い。これにより、蓋枠部の残部を基枠部から外すときに、蓋枠部により保護シートが強く引っ張られても、保護シートが携帯端末の表示画面から剥離するのを抑止できる。
【００２５】
（５）上記の目的を達成するために本発明に係る携帯端末用保護シートの貼付方法は、基枠部に設けられた収容部の定位置に、携帯端末を表示画面が表れるようにして収容する工程と、前記基枠部に蓋枠部を嵌合して被冠し、該蓋枠部に設けてある天面部材の下方の収容空間に位置するよう内天部に沿わせて該内天部に対し取り外し可能に固定され、前記携帯端末に対向する面に剥離フィルムが粘着され、該剥離フィルムの剥離始点部に引き手が繋いである保護シートの前記携帯端末の前記表示画面に対する位置決めをすると共に、前記天面部材と前記表示画面との間に形成される空間を略密封する工程と、前記引き手を前記蓋枠部に設けてある引き手案内部を通して外方向へ引いて、前記保護シートから前記剥離フィルムを剥離する工程と、前記保護シートの所定箇所を外部から直接又は間接的に押さえて、前記剥離フィルムを剥離した粘着面を前記携帯端末の前記表示画面に粘着する工程と、前記基枠部から前記蓋枠部の残部を分離する工程とを備える。
【００２６】
携帯端末用保護シートの貼付方法は、基枠部に設けられた収容部の定位置に、携帯端末を表示画面が表れるようにして収容する工程により、携帯端末を、保護シートを携帯端末の表示画面の正確な位置に貼付することができる箇所に配置することができる。
【００２７】
基枠部に蓋枠部を嵌合して被冠し、蓋枠部に設けてある天面部材の下方の収容空間に位置するよう内天部に沿わせて内天部に対し取り外し可能に固定され、携帯端末に対向する面に剥離フィルムが粘着され、剥離フィルムの剥離始点部に引き手が繋いである保護シートの携帯端末の表示画面に対する位置決めをすると共に、保護シートと表示画面との間に形成される空間を略密封する工程により、粘着面が剥離フィルムで覆われた保護シートは、この空間内に包持され、剥離フィルムが剥離された後も、その粘着面が略外気とつながらないこの空間のみに露出することになる。これにより、外気に浮游する埃等の微細な異物が粘着面に付着することを抑止できる。
【００２８】
また、引き手を蓋枠部に設けてある引き手案内部を通して外方向へ引いて、保護シートから剥離フィルムを剥離する工程により、基枠部に蓋枠部を嵌合した状態の内部の上記空間において、保護シートの粘着面から剥離シートを剥離することできる。また、剥離シートは上記空間から外部へ排出することができるので、保護シートの携帯端末の表示画面に対する貼付作業の邪魔にならない。
【００２９】
保護シートの所定箇所を外部から直接又は間接的に押さえて、剥離フィルムを剥離した粘着面を携帯端末の表示画面に粘着する工程により、保護シートの携帯端末の表示画面に対する粘着を開始することができる。このとき、表示画面は平滑度が高いため、保護シートの粘着面は、最初に粘着したところから粘着面が自動的に密着して拡がっていくので、適宜粘着面の空気抜きを行いながら粘着させることができる。
【００３０】
そして、保護シートが粘着した面積が充分に広くなったところで、基枠部から蓋枠部の残部を分離する工程により、基枠部に表示画面に保護シートを貼付した携帯端末を露出させることができる。後は、適宜収容部から携帯端末を取り出して使用することができる。
【発明の効果】
【００３１】
本発明は、携帯端末の表示画面に保護シートを貼付する作業を行う際に、保護シートの粘着面に異物が付着することを、より完全に近い状態で排除することにより、保護シートと表示画面の間に異物を挟み込むことを防止できる携帯端末用保護シート貼付具及び保護シートの貼付方法を提供することができる。
【図面の簡単な説明】
【００３２】
【図１】本発明に係る携帯端末用保護シート貼付具の一実施の形態を示すと共に、スマートフォンを収容する状態の分解斜視説明図である。
【図２】携帯端末用保護シート貼付具の分解断面説明図である。
【図３】携帯端末用保護シート貼付具の基枠部にスマートフォンを収容し、基枠部に蓋枠部を被せて嵌合した状態を示す断面説明図である。
【図４】携帯端末用保護シート貼付具へのスマートフォンの収容からスマートフォンの表示画面への保護シートの当接までの工程を示す説明図である。
【図５】スマートフォンの表示画面への保護シートの粘着始めから粘着終了後の蓋基枠の取り外しまでの工程を示す説明図である。
【発明を実施するための形態】
【００３３】
図１乃至図５を参照して、本発明の実施の形態を更に詳細に説明する。
なお、図１で表している後述する保護シートは、同じく後述する裏側の剥離シートや引き手との重なり位置を表現するため、本来の透明体ではなく、不透明体として表しており、隠れている外形線を破線で表している。
【００３４】
携帯端末用保護シート貼付具Ａは、表示画面に保護シートを貼付する対象となる携帯端末であるスマートフォン３を収容する基枠部１と、スマートフォン３を収容した基枠部１に嵌合して被冠し、内部に備えた後述する保護シート２５をスマートフォン３の表示画面３０に貼付するための操作を行うことができる蓋枠部２とから構成されている。以下、詳しく説明する。
【００３５】
（基枠部１について）
基枠部１の枠本体（基枠部１と同体なので符号省略）は、ブリスター(blister)の技術を採用して、透明なポリエチレンテレフタレート（ＰＥＴ: polyethylene terephthalate）により成形されている。これについては、次述する蓋枠部２の枠本体２０も同様である。
【００３６】
なお、材料としては、ポリエチレンテレフタレートに限定されるものではなく、例えばポリ塩化ビニル（ＰＶＣ: polyvinyl chloride）、或いはポリスチレン（ＰＳ: polystyrene）等の採用も可能である。また、不透明や半透明、或いは様々な色に着色された材料を採用してもよい。
【００３７】
基枠部１は、平面視で長方形状の外形を有しており、その外形に沿う部分は下側が所定の幅で開口して中空に形成されており、外形を形成する全周に亘る薄板部分は第１の嵌合部である基枠嵌合部１１となっている。また、基枠嵌合部１１の上面部は、二つの長辺部（図１で左右側）と一方の短辺部（図１で左奥側）の三辺部の全面が同一平面上にあり、基枠部１は基枠嵌合部１１が全周に亘り同じ高さである（図２乃至図５等参照）。
【００３８】
基枠部１の上面側において基枠嵌合部１１の内側には、スマートフォン３をガタつくことなく定位置に収容して保持することができる、内形部の形状がスマートフォン３の外形と略同じ長方形状で所定深さの収容部１２が形成されている。収容部１２を形成している底面１２０は、平面であると共に、一方の短辺部（図１で左奥側）が低くなるように所定の角度で傾斜させてある（図２乃至図５等参照）。
【００３９】
基枠部１の基枠嵌合部１１の四隅には、それぞれ係止凸部１３が形成されている。各係止凸部１３は、後述する蓋枠部２の蓋枠嵌合部２１の四隅に設けてある各係止凹部２３に内側から係止するようになっており、これにより基枠部１の蓋枠部２に対する嵌合後の固定が可能になる。
【００４０】
なお、基枠部１の収容部１２の他方の短辺部（図１で右手前側）には、スマートフォン３を収容部１２から取り出す際に指を入れるための凹部１２１が設けてある。また、底面１２０には、スマートフォン３の収容時に、カメラ突出部（図示省略）を逃がすための凹部１２２が設けてある。
【００４１】
なお、基枠部１は、本実施の形態では、特定のスマートフォンの構造に合わせて成形された形状であるが、これに限定するものではなく、複数種類のスマートフォンで共用できる汎用とした構造を採用してもよい。
【００４２】
（蓋枠部２について）
蓋枠部２は、枠本体２０を有している。枠本体２０は、平面視で長方形状の外形を有しており、その下側部分は全体が開口して中空に形成されている。そして、外形を形成している薄板部分が、第２の嵌合部である蓋枠嵌合部２１となっている。枠本体２０の上面側には、開口部（符号省略）の反対側の略全面に天面板２２が形成されている。
【００４３】
天面板２２には、他方の短辺部（図１で右手前側）に近い側の幅方向中央部に、長手方向と平行に両端部が半円状の長穴である貫通穴２９が形成されている。また、天面板２２において、一方の短辺部（図１で左奥側）と、二つの長辺部のうち一方の短辺部寄りの約１／２の部分が他より一段低くなってコ字状に形成されている。
【００４４】
なお、天面板２２の高い部分と一段低い部分の上面は、それぞれが異なる高さの同一平面上にあり、天面板２２の高い部分と一段低い部分の高さは、それぞれの全体が同じ高さである（図２参照）。
【００４５】
天面板２２の高い部分のうち、一方の短辺側（図１で左奥側）の幅狭となった縦板部２２０、２２０ａの内面間の幅は、後述する保護シート２５の幅よりやや広く形成されており、内部の収容空間２２1には保護シート２５の１／２程が、天面板２２の長手方向と平行に収まるようにしてある（図１乃至図３参照）。
【００４６】
また、枠本体２０の蓋枠嵌合部２１の四隅には、上記したように基枠部１の各係止凸部１３と係止する係止凹部２３が形成されており、各係止凹部２３は、各係止凸部１３に外側から係止するようになっている。これにより基枠部１と蓋枠部２の嵌合後に固定することができ、嵌合を外して分離することもできる。
【００４７】
そして、枠本体２０の他方の短辺部（図１で右手前側）には、下部を略全幅で切り欠いて、後述する引き手フィルム２７を外部へ引き出すための引き手案内部２８が設けられている。なお、引き手フィルム２７を外部へ出す際には、後述するように折り畳まれている部分を図２で示しているように延ばすようにする。
【００４８】
天面板２２の内天部（裏面）において、貫通穴２９とは反対側には、所定の距離をおいて円形の粘着部２４が設けてある。粘着部２４は、表裏面に粘着層を設けた円形のプラスチックシート（何れも個別の図示は省略）を粘着させた構成である。粘着部２４には、ガラス製の保護シート２５が一方の短辺側の上面（スマートフォン３の表示画面３０に粘着したときに表面側となる）を粘着させて、いわゆる片持ちの状態で取り付けられている。
【００４９】
保護シート２５は、所定の厚さの平板状で、スマートフォン３の表示画面３０の全体を丁度覆うことができる形状であり、天面板２２の下方の収容空間２２１に位置するようにして内天部に沿わせてある。なお、保護シート２５は、上記したように、粘着部２４だけで天面板２２の内天部に粘着させてあるが、例えば強く剥がすようにすることで、天面板２２の粘着部２４から分離することが可能である。
【００５０】
また、保護シート２５の裏面には、全面に粘着層（図示省略）が設けてあり、この粘着層を介して、保護シート２５と同じ大きさの剥離フィルム２６が全面に粘着してある。剥離フィルム２６の一方（図３で左側）の端部は、やや幅狭となって保護シート２５の端辺をやや超える位置まで延出されており、その端部には同幅の引き手フィルム２７が折り返すようにして繋いである（図３拡大図参照）。
【００５１】
本実施の形態では、剥離フィルム２６と引き手フィルム２７は、若干の撓み性を有する同じプラスチックフィルムで連続して形成されている。引き手フィルム２７は、保護シート２５の他方の端辺の近傍で、更に下側へ折り返して折り目を付けて畳まれている（図２拡大図参照）。
【００５２】
また、保護シート２５の貼付作業において蓋枠部２を基枠部１に嵌合したときに、天面板２２と、基枠部１の収容部１２に傾斜して収容されたスマートフォン３の表示画面３０との間には、新たに空間が形成され、この空間が収容空間２２１を含む略密封された包持空間２２２となる。包持空間２２２において、保護シート２５と表示画面３０の間の空間は、後述するように剥離フィルム２６の折り返しによる剥離を行うスペースとなる。
【００５３】
なお、基枠部１及び蓋枠部２は上記したようにブリスター構造であるので、全体に変形性及び撓み性に優れ、基枠部１及び蓋枠部２の嵌合作業及び分離作業も比較的容易に、かつ確実に行うことができる。
【００５４】
（作用）
図１乃至図５、特に各工程の説明においては主に図４、図５を参照して、携帯端末用保護シート貼付具Ａを使用した、スマートフォン３の表示画面３０に対する保護シート２５の貼付方法及びその際の各部の作用について説明する。
【００５５】
（１）基枠部１の収容部１２にスマートフォン３を収容する。この際、スマートフォン３は、表示画面３０を充分にクリーニングしておき、表示画面３０を収容部１２から露出させて収容する。これにより、スマートフォン３は、保護シート２５の貼付を行うための定位置に固定される（図１、図３参照）。なお、スマートフォン３は、裏面が収容部１２の底面１２０に接触しているので、図３において左側がやや下がるように傾斜している。
【００５６】
（２）基枠部１に蓋枠部２を被冠させるように基枠嵌合部１１に蓋枠嵌合部２１を嵌合する。このとき、蓋枠部２の引き手フィルム２７の折り畳んである部分を延ばして、蓋枠部２の引き手案内部２８に通しておくようにする（図４（ａ）参照）。また、この嵌合は、基枠部１の各係止凸部１３と蓋枠部２の各係止凹部２３を係止して行うようにし、基枠部１と蓋枠部２を相互に固定する（図３、図４参照）。
【００５７】
なお、基枠部１と、蓋枠部２のうち保護シート２５と剥離フィルム２６及び引き手フィルム２７を除く部分とが、透明なプラスチックシートでブリスター様に形成されていることで、全体に変形性及び撓み性に優れ、基枠部１及び蓋枠部２の嵌合作業及び分離作業も比較的容易に、かつ確実に行うことができる。
【００５８】
（３）上記のように基枠部１に蓋枠部２を嵌合することにより、天面板２２と、収容部１２に傾斜して収容されたスマートフォン３の表示画面３０との間には、新たに包持空間２２２が形成され、この包持空間２２２は略密封された状態となる（図３、図４参照）。
【００５９】
つまり、包持空間２２２には、その容積がごく小さいこともあって、開放された外気とは相違して埃等の微細な異物が浮游している可能性は極めて低い。しかも、剥離シート２６が粘着面に粘着させてある保護シート２５は、この包持空間２２２内に包持されている（図３、図４参照）。
【００６０】
（４）引き手フィルム２７を矢印方向に引くと、保護シート２５に粘着させてある剥離フィルム２６が折り返されるように剥離される。このとき、剥離フィルム２６は、包持空間２２２の内部で、例えば表示画面３０と強く接触したり擦れたりすることなく、支障なくスムーズに剥離することができる（図４（ｂ）参照）。
【００６１】
そして、そのまま引き手フィルム２７を引くと、剥離フィルム２６の全体を保護シート２５の粘着面から剥離することができ、引き手フィルム２７と共に引き手案内部２８から外部へ排出する。なお、基枠部１と蓋枠部２が、透明なプラスチックシートで形成されていることで、内部の様子が確認できるので、剥離操作もしやすい。
【００６２】
これにより、剥離フィルム２６と引き手フィルム２７が、保護シート２５のスマートフォン３の表示画面３０に対する貼付作業の邪魔にならない。また、このとき、上記したように、保護シート２５の剥離フィルムを剥離した粘着面には、埃等の微細な異物が付着する可能性は極めて低く、保護シート２５の粘着面に埃等の異物が付着することを、より完全に近い状態で排除することが可能になる。
【００６３】
（５）次に、貫通穴２９から指４を入れて、保護シート２５を下方へ押して、粘着面の一部をスマートフォン３の表示画面３０に粘着させる。これにより、保護シート２５の表示画面３０に対する粘着を開始することができる。なお、表示画面３０は平滑度が高いため、保護シート２５の粘着面は、最初に粘着したところから粘着面が自動的に密着して拡がっていくので、適宜粘着面の空気抜きを行いながら粘着させることができる（図４（ｄ）、図４（ｅ）参照）。
【００６４】
（６）保護シート２５が表示画面３０に対して粘着した面積が充分に広くなったところで、基枠部１から蓋枠部２を分離させる。なお、この粘着が終わったときの粘着面積は広くなっているので固定力が充分に強い。これにより、蓋枠部２の残部（枠本体２０）を基枠部１から外すときに、蓋枠部２により保護シート２５が強く引っ張られても、保護シート２５が表示画面３０から剥離するのを抑止できる。
【００６５】
なお、保護シート２５が粘着部２４から剥離していない場合（図４（ｄ）参照）は、保護シート２５を貫通穴２８から入れた指４で押さえたままで蓋枠部２を基枠部１から分離するようにするのが、剥離を防止するためにはより好ましい。
【００６６】
また、保護シート２５が粘着部２４から剥離している場合（図４（ｅ）参照）は、基枠部１の動きは、保護シート２５に影響が及ばないので、蓋枠部２を基枠部１から分離するだけでよい。
【００６７】
これにより、基枠部１の収容部１２に表示画面３０に保護シート２５を貼付したスマートフォン３を露出させることができる（図４（ｆ）参照）。
後は、凹部１２１に指を入れるなどして適宜収容部１２からスマートフォン３を取り出して使用することができる。
【００６８】
上記したように、携帯端末用保護シート貼付具Ａによれば、スマートフォン３の表示画面３０に保護シート２５を貼付する作業を行う際に、保護シート２５の粘着面に埃等の異物が付着することを、より完全に近い状態で排除することにより、保護シート２５と表示画面３０の間に異物を挟み込むことを防止できる。
【００６９】
本明細書及び特許請求の範囲で使用している用語と表現は、あくまでも説明上のものであって、なんら限定的なものではなく、本明細書及び特許請求の範囲に記述された特徴およびその一部と等価の用語や表現を除外する意図はない。また、本発明の技術思想の範囲内で、種々の変形態様が可能であるということは言うまでもない。
【符号の説明】
【００７０】
Ａ  携帯端末用保護シート貼付具
１  基枠部
１１  基枠嵌合部
１２  収容部
１２０  底面
１２１  凹部
１２２  凹部
１３  係止凸部
２  蓋枠部
２０  枠本体
２１  蓋枠嵌合部
２２  天面板
２２０、２２０ａ  縦板部
２２１  収容空間
２２２  包持空間
２３  係止凹部
２４  粘着部
２５  保護シート
２６  剥離フィルム
２７  引き手フィルム
２８  引き手案内部
２９  貫通穴
３  スマートフォン
３０  表示画面
【要約】
【課題】保護シートの粘着面に異物が付着することを、より完全に近い状態で排除することにより、保護シートと表示画面の間に異物を挟み込むことを防止できる携帯端末用保護シート貼付具を提供する。
【解決手段】携帯端末用保護シート貼付具Ａは、基枠嵌合部１１及びスマートフォン３を定位置に収容可能な収容部１２を有する基枠部１と、基枠嵌合部１１に対して嵌合による固定と分離が可能な蓋枠嵌合部２１、天面部材２２、天面部材２２の下方の収容空間２２１に位置し内天部に沿わせて取り外し可能に固定された保護シート２５、天面部材２２に設けられ外部からの保護シート２５に対する押さえ操作を可能にする貫通穴２９、保護シート２５の粘着面に粘着されている剥離フィルム２６、剥離フィルム２６の剥離始点部に繋がる引き手フィルム２７及び剥離操作時に引き手フィルム２７を通す引き手案内部２８を有する蓋枠部２とを備える。
【選択図】図３【図１】
0006984934.tif 000002
【図２】
0006984934.tif 000003
【図３】
0006984934.tif 000004
【図４】
0006984934.tif 000005
【図５】
0006984934.tif 000006